(57)【要約】      （修正有）【課題】スプレー本体を所望の角度に傾けて操作した場合において、カップ内の化粧水が伴って傾き、内部の空気が炭酸ガスと共に噴出する。【解決手段】化粧水をカップ３３に収納し、炭酸ガス供給用ボンベから可撓性ホースＰを介して導かれた炭酸ガスをスプレー本体Ｓの先端噴出ノズル２６から噴出させてカップ内の化粧水と共に、炭酸混合化粧水を霧状に噴射する美顔器具で、スプレー本体は、ボンベ収納ボックスから導き出した可撓性ホースを引込む握手部Ｓａと、握手部内を経た炭酸ガスを流入すると共に、先端ノズルから炭酸ガスを噴出するガス噴出用ヘッド部と、ガス噴出用ヘッド部の近傍に装備し、炭酸ガスの噴出に伴い収納された化粧水が炭酸混合化粧水として霧状に噴射される化粧水収納カップと、化粧水収納カップの送出口とガス噴出用ヘッド部の先端ノズルとの間隔を、一定間隔状態を維持しつつ化粧水収納カップを回動させる回動機構部Ｚとで成した。【選択図】図５
2014200311.tif 000002
【特許請求の範囲】
【請求項１】
所定量の化粧水をカップに収納し、且つ炭酸ガス供給用ボンベから可撓性ホースを介して導かれた炭酸ガスをスプレー本体の先端噴出ノズルから噴出させて前記カップ内の化粧水と共に、炭酸混合化粧水を霧状に噴射する様にした美顔器具に於いて、
前記スプレー本体は、
（１）ボンベ収納ボックスから導き出した可撓性ホースを引込む握手部と、
（２）該握手部内を経た炭酸ガスを流入すると共に、先端ノズルから炭酸ガスを噴出するガス噴出用ヘッド部と、
（３）該ガス噴出用ヘッド部の近傍に装備されると共に、炭酸ガスの噴出に伴い収納された化粧水が炭酸混合化粧水として霧状に噴射される化粧水収納カップと、
（４）該化粧水収納カップの送出口とガス噴出用ヘッド部の先端ノズルとの間隔を、一定間隔状態を維持しつつ化粧水収納カップを回動させる回動機構部と
（５）で成したことを特徴とする美顔器における炭酸ガス噴出用スプレー。
【請求項２】
前記回動機構部は、ガス噴出用ヘッド部の側面で、而もガス噴出方向に対し直交して突出すると共に、先端に化粧水収納カップを回動自在に装着した継手部より成り、化粧水収納カップの化粧水送出口、継手部の内孔、ガス噴出用ヘッド部とを連通したことを特徴とする請求項１記載の美顔器における炭酸ガス噴出用スプレー。
【請求項３】
前記回動機構部は、ガス噴出用ヘッド部の側面で、而もガス噴出方向に対し直交して突出する様、第１継手部の基部を螺着させて該第１継手部の内孔とガス噴出用ヘッド部のガス流通内孔とを連通させ、更に前記第１継手部の先端に回動自在に第２継手部を装着して第２継手部の内孔を該第１継手の内孔と連通させ、この第２継手部に化粧水収納カップをガス噴出方向に対し、平行して回動自在に装備して化粧水収納カップの化粧水送出口を前記第２継手部の内孔、第１継手部の内孔、ガス噴出用ヘッド部のガス流通内孔とに連通させたことを特徴とする請求項１記載の美顔器における炭酸ガス噴出用スプレー。
【請求項４】
前記回動機構部は、ガス噴出用ヘッド部の前部で、而もガス噴出方向に対し同軸に回転する様装備されたホルダーより成り、該ホルダーに備えられた化粧水収納カップの化粧水送出口がガス噴出用ヘッド部の先端ノズルに対峙したことを特徴とする請求項１記載の美顔器における炭酸ガス噴出用スプレー。
【発明の詳細な説明】
【技術分野】
【０００１】
本発明は化粧水と炭酸ガスとの混合液を顔肌等に噴霧状に吹き付ける美顔器における炭酸ガス噴出用スプレーに関する。
【背景技術】
【０００２】
一般的に、炭酸成分が皮膚下の毛細血管に作用してこの毛細血管を拡張させる効能を利用し、化粧水と共に混合液を顔肌等に吹き付けると共に、皮脂や汚れ等の残骸物を顔肌から遊離させて取り除き、より若々しく美しい顔肌を指向する社会的ウオンツが顕在化している。  そこで、これらに関連する多くの技術文献１〜４が存在し、炭酸ガスボンベとガス噴出ノズルとを機械的に直結、即ちスプレー本体内にガスボンベを収納し、スプレー本体そのものを手元にて持上げ操作し、混合化粧水をガスと共に噴射させている。
【０００３】
然しながら、美顔器の使用は主に女性であることから、約３００ｇからの炭酸ガスボンベを含め相応の重さの美顔器を片手で顔面の高さまで持ち上げての使用は、些か現実にそぐわない。そこで、本願発明者の一人が創作活動の一翼を担って技術文献５に示す美顔器の製品化に結び付け、更には改良を重ね、技術文献６、７に示す美顔器を創出した。
これらは、炭酸ガスボンベを収納するボックスと手元にて操作するスプレーとを分離して両者を可撓性ホースにて接続すると共に、炭酸ガスボンベの収納ボックスは化粧台等に直立着座させたままで、スプレーを軽快に操作することとしている。
【０００４】
而して、更なる商品の利便性を探求すると共に、企図することとし、スプレー本体を所望の角度に傾けて操作すると、カップ内の化粧水が満杯の場合は問題ないが、化粧水の残存量が少なくなると、そのスプレー本体の傾きに追随して化粧水も傾き、内部の空気が炭酸ガスと共に噴出することとなった。
【先行技術文献】
【特許文献】
【０００５】
【特許文献１】実用新案出願公告昭６３−４８２６５号
【特許文献２】特開２０００−１９７５１９号
【特許文献３】特開平５−２３８９２８号
【特許文献４】特開２００３−５４６６２号
【特許文献５】特許第４２７７３０６号
【特許文献６】実用新案登録第３１３６４６５号
【特許文献７】特許第４８７１９３７号
【発明の開示】
【発明が解決しようとする課題】
【０００６】
本発明は、スプレー本体を所望の角度に傾けて操作した場合においても、カップ内の化粧水が伴って傾き、内部の空気が炭酸ガスと共に噴出することの課題を解決する。
【課題を解決するための手段】
【０００７】
本発明は、所定量の化粧水をカップに収納し、且つ炭酸ガス供給用ボンベから可撓性ホースを介して導かれた炭酸ガスをスプレー本体の先端噴出ノズルから噴出させて前記カップ内の化粧水と共に、炭酸混合化粧水を霧状に噴射する様にした美顔器具に於いて、
前記スプレー本体は、
（１）ボンベ収納ボックスから導き出した可撓性ホースを引込む握手部と、
（２）該握手部内を経た炭酸ガスを流入すると共に、先端ノズルから炭酸ガスを噴出するガス噴出用ヘッド部と、
（３）該ガス噴出用ヘッド部の近傍に装備されると共に、炭酸ガスの噴出に伴い収納された化粧水が炭酸混合化粧水として霧状に噴射される化粧水収納カップと、
（４）該化粧水収納カップの送出口とガス噴出用ヘッド部の先端ノズルとの間隔を、一定間隔状態を維持しつつ化粧水収納カップを回動させる回動機構部と
（５）で成したことを特徴とするものである。
【０００８】
更に本発明は、前記回動機構部は、ガス噴出用ヘッド部の側面で、而もガス噴出方向に対し直交して突出すると共に、先端に化粧水収納カップを回動自在に装着した継手部より成り、化粧水収納カップの化粧水送出口、継手部の内孔、ガス噴出用ヘッド部とを連通したことを特徴とするものである。
【０００９】
更に本発明は、前記回動機構部は、ガス噴出用ヘッド部の側面で、而もガス噴出方向に対し直交して突出する様、第１継手部の基部を螺着させて該第１継手部の内孔とガス噴出用ヘッド部のガス流通内孔とを連通させ、更に前記第１継手部の先端に回動自在に第２継手部を装着して第２継手部の内孔を該第１継手の内孔と連通させ、この第２継手部に化粧水収納カップをガス噴出方向に対し、平行して回動自在に装備して化粧水収納カップの化粧水送出口を前記第２継手部の内孔、第１継手部の内孔、ガス噴出用ヘッド部のガス流通内孔とに連通させたことを特徴とするものである。
【００１０】
又本発明は、前記回動機構部は、ガス噴出用ヘッド部の前部で、而もガス噴出方向に対し同軸に回転する様装備されたホルダーより成り、該ホルダーに備えられた化粧水収納カップの化粧水送出口がガス噴出用ヘッド部の先端ノズルに対峙したことを特徴とするものである。
【発明の効果】
【００１１】
（１）請求項１により、スプレー本体を所望の角度、即ち傾けて操作する場合、化粧カップを所望の角度に回動して調整し、残存化粧水量が少なくなることに伴う空気の噴出を軽減できる。
【００１２】
（２）請求項２により、化粧水収納カップをガス噴出用ヘッド部の側面に沿わせて回動自在に装着しているので上下方向に装着しているものに比し、嵩張らない。
（３）請求項３により、化粧水収納カップを回動操作する手先の力が第１継手部と第２継手部との間で絶たれており、直接ガス噴出用ヘッド部に加わらず、ガス漏れ等のトラブルを防止する。
【図面の簡単な説明】
【００１３】
【図１】美顔器の使用状態を示す斜視図
【図２】美顔器を収納箱に収納した斜視図
【図３】直立型ボンベ収納ボックスの断面図
【図４】スプレー本体の断面図
【図５】同上の部分拡大断面図
【図６】同上の分解斜視図
【図７】異なる実施例を示す斜視図
【発明を実施するための最良の形態】
【００１４】
以下本発明を実施形態の図面に基づいて説明する。図１は美顔器の使用状態を示す斜視図であって、使用者が手先Ｈにてスプレー本体Ｓの握手部Ｓａを保持している。図２はスプレー本体Ｓ、直立型ボンベ収納ボックスＸ、可撓性ホースＰを収納箱Ｙに夫々収納した状態を示している。
而して、図３は、直立型ボンベ収納ボックスＸの内部構造を示す断面図であって、上側筒体１に装填された炭酸ガス供給用ボンベＢの食出し部Ｂａを下側筒体２に収納した状態を示している。
【００１５】
具体的には炭酸ガス供給用ボンベＢの上端噴出口頭部３に形成されたネジ４を上側筒体１のソケット部５のネジ孔６に捻じ込む。
このソケット部５は上側筒体１の内筒７に装備されており、内筒７は上側筒体１の下開口１ａより挿入されて圧入装備され、一体化される。
従って、炭酸ガス供給用ボンベＢの上端噴出口頭部３は隠蔽されて外部に触れない状態で該炭酸ガス供給用ボンベＢは図３に示す如く、食出し部Ｂａを下側筒体２に収納され、食出し部Ｂａが下側筒体２の底部２ａから浮いた状態で装填される。
【００１６】
ソケット部５のネジ孔６には炭酸ガス供給用ボンベＢの上端噴出口頭部３の上部に対峙してノズル部８が螺着されている。
【００１７】
このノズル部８は、噴出用管９を備えており、この噴出用管９が炭酸ガス供給用ボンベＢを捻じ込んだ際、その噴出口頭部３の封印膜３ａに貫通し、炭酸ガス供給用ボンベからの噴出ガスを噴出用管９、内孔１０、ノズル１１に亘ってガス流通路を形成する。
而して、ノズル部８の内孔１０には上下動する弁杆１２を挿通しており、常に第２バネ１３にて上方向に弾圧されており、この弁杆１２の上下動によってノズル１１の開閉を行う。
【００１８】
上側筒体１の上部面１ｂには一方向および反対方向に水平回転する様、炭酸ガス噴出調整用の円形調整用摘子１４が位置しており、該円形調整用摘子１４の内側面には雌ネジ１５を形成し、上側筒体１の上部面１ｂに、該上側筒体１の外径より小径のボス１６を直立させ、該ボス１６の外周に雄ネジ１７を形成して、円形調整用摘子１４の雌ネジ１５と螺合し、該円形調整用摘子１４は、その回転によって上下動する。
円形調整用摘子１４からは押圧杆１８が垂下しており、その下端が弁杆１２の上端に当接しており、円形調整用摘子１４は第１バネ１９にて常に上方向に弾圧されている。
勿論、第１バネ１９と第２バネ１３のバネ圧力は、その機能目的から第１バネ１９を強くしている。
【００１９】
而して、円形調整用摘子１４の雌ネジ１５と上側筒体１の雄ネジ１７とは螺合、即ち、円形調整用摘子１４の雌ネジ１５の回転には、少なくともギャップ（空隙）を要し、そのギャップによって弁杆１２と押圧杆１８との接圧がバラ付くことを考慮し、ガス漏れが生じない様に、常に押圧杆１８が弁杆１２を弾圧させることとしている。
これは、前記ソケット部５のネジ孔６に炭酸ガス供給用ボンベＢの上端噴出口頭部３との螺着との文言を敢えて異にしている所以である。
而して図４は、スプレー本体Ｓの具体例を示し、縦方向に分割された前後カバーＳｘより成っている。
而して、ボンベ収納ボックスＸの側面Ｘａから導き出された可撓性ホースＰが握手部Ｓａの内部Ｓｂに引込まれ、ガスケット２０にと接続される。
【００２０】
可撓性ホースＰは、引込口金２１に接続され、更に中継用パイプＰａを介してガスケット２０に接続される。
このガスケット２０は、弁機構２０ａを有し、スプレー本体Ｓに反転自在に軸支持された操作部２２にて弁機構２０ａを動作させ、中継用パイプＰａからの炭酸ガスの送出、停止を操作する。
尚、操作部２２は軸２３にて支持され、軸２３に備えられたコイルバネ２４にて矢印ａの方向に付勢されており、操作部２２を指先にて引くことによって、矢印ａと反対方向に反転させ、操作部２２の下縁２２ａが弁機構２０ａの弁杆２０ｂを押し下げ、炭酸ガスが送出される。
【００２１】
更に弁機構２０ａの送出口２０ｃには送出用パイプＰｂの一端が接続されており、他端がガス噴出用ヘッド部２５に接続されており、先端ノズル２６から操作部２２の操作によって炭酸ガスが噴出することとなり、ガス噴出用ヘッド部２５は、図５に示す如く送出用パイプＰｂがガス噴出用細孔２７に接続されている。
而して、ガス噴出用ヘッド部２５の側面にはガス噴出方向Ｒに対し直交して突出する第１継手部２８の基部２８ａがネジ孔２５ａに螺着しており、該第１継手部２８の内孔２９とガス噴出用ヘッド部２５のガス流通内孔３０とを連通させている。この第１継手部２８は軸状に形成され、その先端には第２継手部３１が挿入されて回動自在に装着されており、第２継手部３１の内孔３２と該第１継手２８の内孔２９とが連通している。
【００２２】
第２継手部３１には直交、即ちガス噴出方向Ｒに対し平行して矢印ａに示す如く、一定角度回動自在に化粧水収納カップ３３を装備している。
具体的には、第２継手部３１のネジ孔３１ａに化粧水収納カップ３３の送出口３３ａを螺着し、化粧水収納カップ３３の化粧水送出口３３ａを前記第２継手部３１の内孔３１ｂ、第１継手部２８の内孔２８ａ、ガス噴出用ヘッド部２５のガス流通内孔３０にと夫々に亘って連通させている。
これら第１継手部２８、第２継手部３１にて回動機構部Ｚを構成し、回動機構部Ｚには適宜パッキン３４、３５、３６が配されている。
【００２３】
而して、スプレー本体Ｓを所望の角度に傾けて操作した場合、仮に化粧水収納カップ３３内の化粧水残存量が少ないと気づけば、その化粧水収納カップ３３を適宜回動して、化粧水と炭酸ガスとを適正に混合して噴出することができる。
【００２４】
図７は異なる実施例を示し、ガス噴出用ヘッド部２５の前部に化粧水収納カップ３３を位置させ、而もガス噴出方向Ｒに対し直交する様、化粧水送出口３３ａを近接して対峙させ、操作部２２を押圧操作すればガス噴出によって、化粧水収納カップ３３内の化粧水を引き寄せる形式（吸い上げ形式）としている。
而して、化粧水収納カップ３３はガス噴出用ヘッド部２５の近傍に回動自在に装備されたホルダー３７によって保持されており、先端ノズル２６と一定間隔状態を維持しつつ化粧水収納カップ３３が回動することとしている。
即ち、炭酸ガスとの混合化粧水を最終的に腕、足、身体の肌面へ霧状に噴射すればよいのであって、特に限定するものではない。
【符号の説明】
【００２５】
Ｓ    スプレー本体
Ｓａ  握手部
Ｐ    可撓性ホース
Ｂ    炭酸ガス供給用ボンベ
Ｘ    直立型ボンベ収納ボックス
Ｚ    回動機構部
１    上側筒体
２    下側筒体
１４  円形調整用摘子
２５  ガス噴出用ヘッド部
２６  先端ノズル
２８  第１継手部
２９  内孔
３０  ガス流通内孔
３１  第２継手部
３２  内孔
３３  化粧水収納カップ
【図１】
2014200311.tif 000003
【図２】
2014200311.tif 000004
【図３】
2014200311.tif 000005
【図４】
2014200311.tif 000006
【図５】
2014200311.tif 000007
【図６】
2014200311.tif 000008
【図７】
2014200311.tif 000009